(57)【要約】【課題】従来使用されて来た鉄筋工事用結束線と同じ結束操作性を維持しながら、省資源化に対応した鉄筋工事用結束線を開発すること。【解決手段】鉄筋組立に際し鉄筋配筋の交叉部分および継手部分を緊結するための鉄筋工事用結束線であって、二つ折りにされ結束治具であるハッカーを用いて緊結する鉄筋工事用結束線において、二つ折り部分の一方は鉄筋配筋の交叉部分または継手部分を緊結できる長さとし、他方は一方の長さに対して１／３以上７／８以下の長さに形成した事を特徴とする鉄筋工事用結束線。【選択図】図１
2013133701.tif 000002
【特許請求の範囲】
【請求項１】
鉄筋組立に際し鉄筋配筋の交叉部分および継手部分を緊結するための鉄筋工事用結束線であって、二つ折りにされ結束治具であるハッカーを用いて緊結する鉄筋工事用結束線において二つ折り部分の一方は鉄筋配筋の交叉部分または継手部分を緊結できる長さとし、他方は一方の長さに対して１／３以上７／８以下の長さに形成した事を特徴とする鉄筋工事用結束線。
【請求項２】
鉄筋工事用結束線には、メッキを施している事を特徴とする請求項１に記載されている鉄筋工事用結束線。
【発明の詳細な説明】
【技術分野】
【０００１】本発明は鉄筋組立に際し配筋の交叉部分および継手部分を緊結するために用いる鉄筋工事用結束線に関するものである。
【背景技術】
【０００２】現在の鉄筋組立時には、鉄筋配筋時の交叉部分および継手部分の緊結のため、図４に図示しているように極細鋼線を適当な長さに調節して、両端の揃った二つ折りにした鉄筋工事用結束線が使用されており、このような鉄筋工事用結束線を図５に図示しているように複数本束ねておきこの束から一本ずつ抜き取って、この抜き取られた結束線の折り曲げ部分に結束治具であるハッカーの爪を引っ掛け、図６（Ａ）に図示されているようにこの結束線を鉄筋配筋の交叉部分および継手部分に巻き付けている。その結果が図７に図示される状態である。【０００３】このような鉄筋工事用結束線は例えば特開２０００−３３６８４４号公報に図示されている。【０００４】熟練の鉄筋工は鉄筋配筋時の交叉部分および継手部分を緊結する際に、鉄筋工事用結束線の端部を、図６（Ｂ）に図示されているように鉄筋の交叉部分の内側に折り込んでいる。
【先行技術文献】
【特許文献】
【０００５】
【特許文献１】特開２０００−３３６８４４号公報
【発明の概要】
【発明が解決しようとする課題】
【０００６】しかし、最近の鉄筋工は鉄筋の交叉部分の内側に折り込む作業が十分でなく、現在の建設現場では図６（Ａ）に図示されているように跳ね出した状態で鉄筋配筋時の交叉部分および継手部分を緊結するための結束作業が完了している。【０００７】ところが、図６（Ａ）に図示されているように鉄筋工事用結束線が鉄筋の交叉部分および継手部分の巻き付けられた位置から跳ね出した状態のままで、躯体コンクリ−トを打設すると打設した躯体コンクリートの表面に跳ね出した端部が残り、その結果躯体コンクリート表面への結露に起因して発▲錆▼、汚れが生じてしまう。【０００８】このため、躯体コンクリートを打設する前に型枠の立て込みを行う前の設計者またはゼネコンによる鉄筋組立配筋検査において、鉄筋配筋時の交叉部分および継手部分に巻き付けられた図６（Ａ）のように結束位置から跳ね出した部分の両端部分が型枠に接触するため、その接触部分が躯体コンクリート打設後に結露等により発▲錆▼する事があるため図６（Ｂ）のように鉄筋結束後、鉄筋の交叉部分の内側に折り込むように設計者またはゼネコンからの是正指示が出る。【０００９】また、従来使用されている図４に図示されている鉄筋工事用結束線は図６（Ａ）に図示されているように、鉄筋組立に際した鉄筋配筋の交叉部分および継手部分を緊結すると、鉄筋工事用結束線の両端が結束位置から跳ね出した状態になるが、その跳ね出した長さは非常に長い状態で残っている。【００１０】したがって、型枠立て込み前に鉄筋工事用結束線を鉄筋交叉部分の内側に折り込む必要があるのだが、鉄筋の交叉部分および継手部分の折り込む箇所数や本数が多くなるため作業効率が悪く、また鉄筋工事用結束線の結束位置から跳ね出した部分に結束操作に必要のない長さが生じている。【００１１】本発明の目的は、躯体コンクリート打設前の鉄筋組立後の設計者およびゼネコンの鉄筋組立配筋検査で是正指示がでる図６（Ａ）で図示されているような鉄筋工事用結束線の両端が、結束位置から跳ね出した部分を折り込む箇所数や跳ね出した部分の折り込む本数を少なくし、かつ従来使用されている鉄筋工事用結束線の結束操作に必要のない部分を取り除き、同じ結束操作性を維持しながらかつ省資源化（コスト削減）に対応するための鉄筋工事用結束線を提供することにある。
【課題を解決するための手段】
【００１２】上記の課題を解決するための本発明の鉄筋工事用結束線は、鉄筋組立に際し鉄筋配筋の交叉部分および継手部分を緊結するための鉄筋工事用結束線であって、その鉄筋工事用結束線はほぼ直線状の極細鋼線を二つ折りにして結束治具であるハッカーを用いて緊結する鉄筋工事用結束線において、二つ折り部分の一方は鉄筋配筋の交叉部分または継手部分を緊結できる長さとし、他方を一方の長さに対して１／３以上７／８以下の段違いの形に形成したことを特徴とする。【００１３】また、鉄筋工事用結束線にはメッキを施していることを特徴とする。【００１４】本発明の鉄筋工事用結束線は、鉄筋組立に際し鉄筋配筋時の交叉部分および継手部分を緊結するため、一方は二つ折りにして用いる従来の両端が揃った鉄筋工事用結束線の結束操作に必要のない部分を取り除き、結束操作性を維持するための長さを確保しながら、他方はコスト削減と鉄筋組立後型枠に接触しない長さにするため更に短くし結果的に段違い形状にし、従来の鉄筋工事用結束線の長さを全体的に短くした点である。【００１５】この結果、例えば図６（Ａ）に図示されている従来の鉄筋工事用結束線の結束位置から跳ね出した部分は、二本とも折り込む必要があるが、本発明の鉄筋工事用結束線は一方は短いので型枠に接触することはなく他方も従来の鉄筋工事用結束線より短くなっているため結束位置から跳ね出した部分の折り込む箇所数や跳ね出した部分の折り込む本数が、従来の鉄筋工事用結束線に比べて半減している。
【発明の効果】
【００１６】したがって、本発明の鉄筋工事用結束線によれば従来の鉄筋工事用結束線によって緊結された結束位置から跳ね出した端部の箇所数および本数がより少なくなるため型枠に接触する部分が半分になり鉄筋組立後に行われる設計者およびゼネコンによる鉄筋組立配筋検査の是正指示にともなう、鉄筋交叉部分の結束位置から跳ね出した部分の折り込む箇所数および本数が半減することにより作業効率が良くなる。【００１７】また、従来の鉄筋工事用結束線よりも使用している極細鋼線の全長が短くなっているので、生産性の面から見てもかなりのコスト削減になる。
【図面の簡単な説明】
【００１８】
【図１】本発明による鉄筋工事用結束線の実施の形態の一例を示す平面図。
【図２】図１に示した鉄筋工事用結束線を複数本束ねた鉄筋工事用結束線を示す図。
【図３】図１に示した鉄筋工事用結束線で緊結された部分の拡大図である。
【図４】従来使われている鉄筋工事用結束線の実施の形態の一例を示す平面図。
【図５】図４に示した鉄筋工事用結束線を複数本束ねた鉄筋工事用結束線を示す図。
【図６】（Ａ）図４に示した鉄筋工事用結束線で緊結された部分の鉄筋工事用結束線の端部が跳ね出した部分の拡大図である。（Ｂ）図４に示した鉄筋工事用結束線で緊結された部分の鉄筋工事用結束線の端部が跳ね出した部分を折り込んだ部分の拡大図である。
【図７】図１に示した鉄筋工事用結束線を用いて組み立てられた鉄筋組立を示す平面図。
【発明を実施するための形態】
【００１９】以下、図面を参照して本発明の実施の形態の一例につき詳細に説明する。
【００２０】図１は、本発明による鉄筋工事用結束線の実施形態の一例を示す平面図である。鉄筋工事用結束線１は鉄筋組立に際し配筋の交叉部分を緊結するために用いるものであり、二つ折りにした極細鋼線を一方１Ｂの長さＬは他方１Ａの長さＬ１より長い形状に形成されている。
【００２１】例えば、鉄筋の太さが呼び径Ｄ１３ｍｍどうしの鉄筋の交叉部分を緊結するために現在使用されている図４の結束線３は、極細鋼線の全長が３５０ｍｍになっており二つ折りにされた両端の足の長さは約１６０ｍｍずつの振り分けた長さで折り曲げられている。
【００２２】しかし、本発明の鉄筋工事用結束線図１は鉄筋の太さが呼び径Ｄ１３ｍｍどうしの鉄筋の交叉部分を図４の鉄筋工事用結束線３と同程度の結束操作性を維持させるためＬの長さは約１４０ｍｍとしＬ１は約１２０ｍｍとして極細鋼線の全長を２７０ｍｍとした形に形成されている。
【００２３】また、図４の鉄筋工事用結束線３は二つ折りにした折れ点の曲げ部分が大きいが図１の鉄筋工事用結束線１は二つ折りにした折れ点の曲げ部分を小さくしたのが特徴でもありこれにより、全長も短くすることができている。
【００２４】本発明の鉄筋工事用結束線は一方１Ｂの長さＬは操作性と結束性を考え、約１４０ｍｍ以上でないといけない。なぜならば、１４０ｍｍ以下にすると操作性がそこなわれ結束性において無理が生じる事になる。また本発明は他方１Ａの長さＬ１が一方１Ｂの長さＬに対して１／３から７／８の長さの形状にしている。１／３以下になると結束治具であるハッカーの操作性が損なわれ７／８以上になると省資源効果が少なくなる。
【００２５】図１では、鉄筋工事用結束線１を一本だけ示しているが、実際には図１に示す如く構成された鉄筋工事用結束線１を図２に示される如くして複数本束ね、この鉄筋工事用結束線８から鉄筋工事用結束線１を一本ずつ抜き取って使用する。
【００２６】図７には、図１に示した鉄筋工事用結束線１を用いて緊結された鉄筋組立体１０が示されている。鉄筋組立体１０は、縦横に直交するように配置された鉄筋１１の交叉部分のうちのいくつかを図１に示した鉄筋工事用結束線１によって緊結して成っている。
【００２７】鉄筋工事用結束線１は、緊結されて跳ね出した端部が図３のように一方は長く跳ね出しているが他方は極端に短くなっているため、図６（Ｂ）で図示しているように図４の鉄筋工事用結束線３の緊結されて跳ね出した端部の折り曲げる本数が半減することになる。この結果鉄筋組立後の設計者およびゼネコンの鉄筋組立配筋検査で是正指示が出る、図６（Ａ）のように緊結されて跳ね出した端部を図６（Ｂ）のように緊結部の内側に折り曲げる箇所数や本数が半減することにより作業効率が良くなる。
【００２８】これにより、鉄筋工事用結束線１を緊結する作業に使用する事による図１のＬの長さよりＬ１の長さを短くしたため、Ｌ２の結束操作に必要のない長さを無くすことにより鉄筋工事用結束線１の使用材料である極細鋼線の全長を短くできることになり、コスト削減により鉄筋工事用結束線を購入して使用している鉄筋工事業者にも従来の鉄筋工事用結束線の図４の３を購入して使用するよりも単価面でのコスト削減になる。
【符号の説明】１    本発明の鉄筋工事用結束線
１Ａ  本発明の鉄筋工事用結束線の結束操作に最低限必要な長さ部分
１Ｂ  本発明の鉄筋工事用結束線の結束操作を維持するための長さ部分
Ｌ    １Ｂの長さ
Ｌ１  １Ａの長さ
Ｌ２  １Ｂから１Ａを除いた部分の長さ
【図１】
2013133701.tif 000003
【図２】
2013133701.tif 000004
【図３】
2013133701.tif 000005
【図４】
2013133701.tif 000006
【図５】
2013133701.tif 000007
【図６】
2013133701.tif 000008
【図７】
2013133701.tif 000009